(57)【要約】【課題】本体近傍及び遠方のいずれの場所からでも点灯部分の点灯を正確に視認できる空気調和機の提供。【解決手段】本体の外装板１２に表示部１３を備え、表示部１３の点灯部分１５は、外装板の前面パネル４側端縁の前面及び側面に発光面２０ａを有する構成としてある。これにより、表示部の点灯部分１５となる発光面２０ａは、外装板と前面パネルの互いの端縁が接する角部に位置する形となって、外装板と対向する面及び前面パネルと対向する面の二方向から発光面の発光を視認することができるようになる。したがって、本体近傍はもちろん本体から遠く離れた場所からでも点灯部分を確実に視認でき、運転状態を正確に把握することができる。【選択図】図５
2017044438.tif 000002
【特許請求の範囲】
【請求項１】
本体の上部に設けられた吸込み口と、前記本体の下部に設けられた吹出し口と、前記本体の前面を覆う前面パネルと、前記吹出し口と前記前面パネルとの間に設けられた外装板と、前記外装板の前記前面パネル側端部に設けられた表示部とを備え、前記表示部の点灯部分は、前記外装板の前面パネル側端縁の前面及び側面の両面に跨って発光面を有する構成とした空気調和機。
【請求項２】
前記表示部の点灯部分は、外装板の内面に設けられたプリント基板が有するＬＥＤと、前記ＬＥＤからの光を導光する導光体とを備え、前記導光体の表面を発光面とした請求項１に記載の空気調和機。
【請求項３】
前記外装板の側面に位置する発光面の上方の少なくとも一部は、前面パネルによって覆った請求項１または２に記載の空気調和機。
【請求項４】
前記導光体の先端部が、外装板の前面及び側面が交差する角部より突出する請求項１〜３のいずれか１項に記載の空気調和機。
【請求項５】
前記外装板は、前記表示部とともに、赤外線センサ等からなる複数の検知部をさらに有し、前記複数の検知部は、一枚の装飾シートで覆った請求項１〜４のいずれか１項に記載の空気調和機。
【発明の詳細な説明】
【技術分野】
【０００１】
本発明は空気調和機、特にその運転状態を表示する表示部構成に関するものである。
【背景技術】
【０００２】
一般に空気調和機は、壁面の上部に取り付けて使用され、本体の前面下部に設けた吹出し口から冷風もしくは温風等を吹出して室内の空調を行うが、その運転状態を表示する表示部が本体の吹出し口上部近傍に設けてある（例えば、特許文献１参照）。
【０００３】
図１０は特許文献１記載の空気調和機を示し、この空気調和機は本体１０１の上部に吸込み口１０２が設けてあり、前面下部には、運転停止時、風向変更板１０３によって覆われる吹出し口１０４が設けてある。
【０００４】
そして、上記本体１０１はその前面パネル１０５と前記吹出し口１０４との間に外装板１０６が設けてあって、この外装板１０６が前記風向変更板１０３と略同一面となるよう前下がり状に傾斜しており、この前下がり状に傾斜している外装板１０６の表面にリモコン受信部１０７や各種センサ１０８等とともに、空気調和機の運転状態を表示する表示部１０９が設けてある。そして、上記表示部１０９の点灯部分は前下がり状の外装板１０６の傾斜面に設けてある。
【先行技術文献】
【特許文献】
【０００５】
【特許文献１】特開２０１２−１９７９７０号公報
【発明の概要】
【発明が解決しようとする課題】
【０００６】
上記従来の空気調和機は、表示部１０９の点灯部分が外装板１０６の前下がり傾斜面に設けてあるから、本体１０１の近傍から空気調和機を見るときにはどの表示の点灯部分が点灯しているのかを正確に視認することができる。
【０００７】
しかしながら、遠く離れた位置から本体１０１を見た場合、前記外装板１０６が前下がり状に傾斜していて、当該傾斜面に点灯部分が設けてあるので、点灯部分が視認しにくくなり、運転状態を把握しづらい、という課題があった。
【０００８】
本発明はこのような点に鑑みてなしたもので、本体近傍及び遠方のいずれの場所からでも点灯部分の点灯を正確に視認できる空気調和機の提供を目的としたものである。
【課題を解決するための手段】
【０００９】
本発明は上記目的を達成するため、表示部の点灯部分は、前記外装板の前面パネル側端縁の前面及び側面の両面に跨って発光面を有する構成としてある。
【００１０】
これにより、表示部の点灯部分となる発光面は、外装板と前面パネルの互いの端縁が接する角部に位置する形となって、外装板と対向する面及び前面パネルと対向する面の二方向から発光面の発光を視認することができるようになる。したがって、本体近傍はもちろん本体から遠く離れた場所からでも点灯部分を確実に視認でき、運転状態を正確に把握することができる。
【発明の効果】
【００１１】
本発明は、上記構成によって、使用者はどのような位置からでも表示部の点灯状態を確実に視認することができ、運転状態を正確に把握できる使い勝手の良い空気調和機とすることができる。
【図面の簡単な説明】
【００１２】
【図１】本発明の実施の形態１における空気調和機の外観斜視図
【図２】同空気調和機の表示部及び赤外線センサ設置部分を示すための外観斜視図
【図３】図２のＡ−Ａ断面図
【図４】図２のＢ−Ｂ断面図
【図５】本発明の実施の形態１における空気調和機の表示部を示す断面図
【図６】同空気調和機の表示部における要部拡大断面図
【図７】同空気調和機の表示部を設けた外装板の分解斜視図
【図８】同空気調和機の表示部の導光体を示す拡大斜視図
【図９】同空気調和機の表示部の導光体ホルダを示す拡大斜視図
【図１０】従来の空気調和機の外観斜視図
【発明を実施するための形態】
【００１３】
第１の発明は、本体の上部に設けられた吸込み口と、前記本体の下部に設けられた吹出し口と、前記本体の前面を覆う前面パネルと、前記吹出し口と前記前面パネルとの間に設けられた外装板と、前記外装板の前記前面パネル側端部に設けられた表示部とを備え、前記表示部の点灯部分は、前記外装板の前面パネル側端縁の前面及び側面の両面に跨って発光面を有する構成としてある。
【００１４】
これにより、表示部の点灯部分となる発光面は、外装板と前面パネルの互いの端縁が接する角部に位置する形となって、外装板と対向する面及び前面パネルと対向する面の二方向から発光面の発光を視認することができるようになる。したがって、本体近傍はもちろん本体から遠く離れた場所からでも点灯部分を確実に視認でき、運転状態を正確に把握することができる。
【００１５】
第２の発明は、第１の発明において、前記表示部の点灯部分は、外装板の内面に設けられたプリント基板が有するＬＥＤと、前記ＬＥＤからの光を導光する導光体とを備え、前記導光体の表面を発光面とした構成としてある。
【００１６】
これにより、外装板の内面に配置したプリント基板の端縁ぎりぎりにＬＥＤを付設できず当該ＬＥＤと外装板端縁の点灯部分との間に位置ずれが生じるような形となっても、ＬＥＤからの光を導光体によって外装板端縁の点灯部分に導き発光面から外部へと照射させることができる。したがって、技術的にＬＥＤをプリント基板の端縁ぎりぎりに設けることができず、外装板の端縁に対向させてＬＥＤを配置することができないという障害があってもこれを解消して、点灯部分を外装板の端縁、すなわち外装板と前面パネルの互いの端縁が接する角部に設け、ＬＥＤからの光を外装板側及び前面パネル側の両側の面から視認できるようにして、点灯部分の視認性を高め、使い勝手の良い空気調和機とすることができる。
【００１７】
第３の発明は、第１または第２の発明において、前記外装板の側面に位置する発光面の上方の少なくとも一部は、前面パネルにより覆う構成としてある。
【００１８】
これにより、導光体の発光面以外からの光は前面パネルを利用して外部に漏洩するのを防止でき、発光状態をすっきりと見やすいものとすることができる。
【００１９】
第４の発明は、第１〜第３の発明において、前記導光体の先端部が、前記外装板の前面
及び側面が交差する角部より突出する構成としてある。
【００２０】
これにより、導光体はその先端面のみならず突出した部分の外周も発光面となって光るので、点灯状態が外装板と対向する面及び前面パネルと対向する面のいずれの側からでも見やすいものとなり、その視認性をより高いものとして、使い勝手を更に向上させることができる。
【００２１】
第５の発明は、第１〜第４の発明において、前記外装板は、前記表示部とともに赤外線センサ等からなる複数の検知部をさらに有し、前記複数の検知部は、一枚の装飾シートで覆った構成としてある。
【００２２】
これにより、外装板に複数の検知部を設けていても、その表面は一枚の装飾シートで覆っているので、複数の検知部を別々のシートで覆うようにしたものに比べすっきりとしたものとすることができると同時に、経年変化によってシートの変色状態が個々に異なることで生じる美観の低下も防止でき、使い勝手とともに美観向上も実現することができる。
【００２３】
以下、本発明の実施の形態について、図面を参照しながら説明する。なお、この実施の形態によって本発明が限定されるものではない。
【００２４】
本実施の形態で示す空気調和機は、冷媒配管及び制御用配線等により接続された室内機と室外機とで構成され、室外機には圧縮機が設けられている。
【００２５】
図１〜図４はこの空気調和機の室内機を示している。図１〜図４、特に図３に示すように、室内機の外観を構成する本体１は、空気を吸い込む吸込み口２と、熱交換された空気を吹き出す吹出し口３とを備えている。吸込み口２は、本体１の天面部分の吸込み開口２ａに本体前面の開口部分２ｂを合わせた形となっている。また、本体１は、本体１の前面を覆う前面パネル４を備えている。
【００２６】
本体１の内部には、室内空気に含まれる塵埃を補足するためのフィルタ５と、取り入れた室内空気を熱交換する熱交換器６と、吸込み口２からフィルタ５を通して取り入れた室内空気を熱交換器６で熱交換して吹出し口３から室内に吹き出すための気流を発生させる貫流式のファン７とが設けられている。
【００２７】
吹出し口３には、当該吹出し口３を開閉するとともに、空気の吹出し方向を上下方向に変更することができる上下風向変更板８が設けられている。上下風向変更板８は、上羽根８ａと下羽根８ｂとからなり、上羽根８ａ、下羽根８ｂはそれぞれ、左右両端のいずれかの回転軸において、ステッピングモータ等からなる駆動モータの回転軸に連結されている（図示せず）。そして、この駆動モータの動作により、上羽根８ａ、下羽根８ｂは、それぞれ上下方向に回動する。なお、上下風向変更板８は上羽根８ａと下羽根８ｂからなるものではなく一つの羽根で構成されるものであってもよい。
【００２８】
また、ファン７の下流側から吹出し口３の上流側に至る通風路９には、空気の吹出し方向を左右に変更することができる複数枚の左右風向変更羽根１０が設けられている。複数枚の左右風向変更羽根１０は、動きを連動させる連結桟により連結され、連結桟はステッピングモータ等からなる駆動モータの回転軸に連結されている（図示せず）。そして、この駆動モータの動作により、複数枚の左右風向変更羽根１０は、それぞれ左右方向に回動する。
【００２９】
また、前記本体１の天面と前面パネル４とフィルタ５との間には電装ユニット１１が配置してある。この電装ユニット１１は本体１を構成する台枠の一部を利用して装着してあ
り、前記ファン７、上下風向変更板８、左右風向変更羽根１０、圧縮機等を制御して当該空気調和機の運転を制御するようになっている。
【００３０】
更にまた、前記本体１の前面部分すなわち前面パネル４と、吹出し口３との間には外装板１２を設け、この外装板１２の前面略中央部分には、図１、図２に示すように、上記電装ユニット１１によって制御される空気調和機の運転状態を表示する表示部１３が設けてある。外装板１２は、略垂直に設けられた前面パネル４に対して、傾斜して設けられている。
【００３１】
以下、この表示部１３の構成を図５〜図９を用いて説明する。
【００３２】
図５において、表示部１３は、「運転」、「タイマ運転」、「省エネ運転」等の運転状態を記載した表示部分１４と、前記表示部分１４に対応して外装板１２の前面パネル４側端縁に設けた点灯部分１５とからなっている。
【００３３】
表示部分１４は外装板１２の略中央上部前面に設けられた窪み部１６に表示シート１７を貼り付けて構成してあり、その上端部分、すなわち前面パネル４の下端に設けた装飾枠４ａが対向する外装板１２の上端縁に点灯部分１５が設けてある。
【００３４】
点灯部分１５は、外装板１２の内面に配置したプリント基板１８上のＬＥＤ１９と、このＬＥＤ１９からの光を導く導光体２０とで構成してある。そして、上記導光体２０は、図６に示すように、その先端を外装板１２の上端角部に設けた孔から突出させ、当該先端面及び先端外周面が発光面２０ａとなって、前記外装板１２と前面パネル４の装飾枠４ａとの互いの端縁が接する角部Ｘから外部に臨む形となっている。
【００３５】
なお、上記導光体２０は、外装板１２の側面に位置する発光面２０ａの上方の少なくとも後方部分は前面パネル４の装飾枠４ａ端部によって覆われている。
【００３６】
また、前記導光体２０は、図６に示すように、ＬＥＤ１９からの光を反射する第１反射面２０ｂと第２反射面２０ｃとを備え、ＬＥＤ１９からの光を階段状に反射させて外装板１２の端縁に位置する発光面２０ａから放射する構成としてある。
【００３７】
導光体２０について、図８を用いてさらに詳しく説明する。導光体２０は、ＬＥＤ１９の光軸に対して略垂直に設けられる本体部２０１と、本体部２０１の上端から前方に突出する前方突出部２０２と、本体部２０１の上端両側から後方に突出する後方突出部２０３と、本体部２０１の下端から後方に突出する下端側突出部２０４とを備えている。
【００３８】
本体部２０１の前面には、略直角の縦断面を有する楔状の凹部２０１ａが設けられており、この凹部２０１ａの上面が、第１反射面２０ｂを形成している。また、前方突出部２０２の後端には、後方に向かうほど下方にいくような傾斜面が設けられている。この傾斜面が、第２反射面２０ｃを形成している。なお、第２反射面２０ｃは、第１反射面２０ｂに対して並行な面である。
【００３９】
導光体２０は、第１反射面２０ｂがＬＥＤ１９の光軸に対向するように、導光体ホルダ２１によって保持されている（図６参照）。これによって、ＬＥＤ１９からの光を、第１反射面２０ｂで反射させ、本体部２０１の上方に導光し、さらに、第２反射面２０ｃで反射させて、前方突出部２０２に導光することができる。前方突出部２０２に導かれた光は、前方突出部２０２の前端部の上面と前端面である発光面２０ａから放射される。
【００４０】
また、導光体２０は、下端側突出部２０４がＬＥＤ１９の下方を覆うように、導光体ホ
ルダ２１によって保持されている（図６参照）。これによって、ＬＥＤ１９から下方に漏れた光も、導光体２０へ当てることができる。さらに、下端側突出部２０４に入射した光の一部を、凹部２０１ａの下面で反射し、本体部２０１の上方に導光することもできる。
【００４１】
具体的には、上記導光体２０は図７、図９に示すような導光体ホルダ２１に保持させ、この導光体ホルダ２１を外装板１２とプリント基板１８との間に挟持することによってその発光面２０ａが表示部１３の各表示と対応するように位置決めされる形としてある。  また、プリント基板１８はカバー体２４の内面に一体形成したボス（図示せず）にビス止め等によって固定してある。
【００４２】
図６に示すように、下端側突出部２０４をプリント基板１８の前面に当接させ、後方突出部２０３をカバー体２４の上面の前端に当接させることで、第１反射面２０ｂとＬＥＤ１９との距離を容易に規制できる。
【００４３】
導光体ホルダ２１は、上端に導光体２０を保持する保持部（図示せず）を備えている。導光体ホルダ２１の上面のうち、保持部が設けられ部分には、切欠き２１ａが設けられている。導光体２０の前方突出部２０２は、切欠き２１ａを介して、導光体ホルダ２１の前面より突出する。
【００４４】
また、導光体ホルダ２１は、プリント基板１８に設けられたリモコン受信部２２に対応する位置に、窓部２１ｂを備えている。
【００４５】
さらに、前記表示部分１４の一方端部分にはリモコン受信部２２（図７参照）が位置しており、前記表示部分１４を構成する表示シート１７によって覆われていて、当該表示シート１７、前記窓部２１ｂを介してリモコンからの信号を受信するようになっている。
【００４６】
なお、上記外装板１２はその外周縁に枠部２３を有していて、当該枠部２３の背部にカバー体２４を装着し前記プリント基板１８を覆う構成としてあり、その両端部を本体１に枢支して手前側に回動させることにより背部に位置するフィルタ５を容易に着脱できるようにしてある。
【００４７】
また、この実施の形態では、上記外装板１２には更に人体を検知する第１赤外線センサ２５と床面や壁面等の温度を検知する第２赤外線センサ２６が左右に分けて組み込んである。そして、この第１赤外線センサ２５及び第２赤外線センサ２６は、その前面を前記外装板１２に貼付け装着した赤外線透過型の一枚の樹脂製の装飾シート２７（図５、図７参照）で覆い、当該装飾シート２７を介して部屋内の温度状態を検出するようになっている。
【００４８】
なお、第１赤外線センサ２５は、人体から放射される赤外線を検知する焦電素子型の赤外線センサで構成し、空調すべき部屋内の赤外線量の変化により人存否と人移動を常時検出可能なように固定して設けられている。
【００４９】
また、第２赤外線センサ２６は、多数の熱電素子型の赤外線センサ素子を配列して構成し、モータ等の駆動源（図示せず）により左右に回動させて部屋の一方端から他方端に至る全域の人体の表面温度や床温度をスキャンしながら検出するように回動自在に設けられている。
【００５０】
以上のように構成された空気調和機について、次にその作用効果について説明する。
【００５１】
まずこの空気調和機は、吸込み口２から吸いこんだ空気を熱交換器６で熱交換して吹出
し口３より吹出し、部屋の空調を行う。そしてその運転状態は外装板に設けた表示部１３によって点灯表示される。
【００５２】
ここで上記表示部１３は、その点灯部分１５の発光面２０ａが、前記外装板１２の前面パネル側端縁の前面及び側面との両面に跨るように設けられていて、外装板１２と前面パネル４の互いの端縁が接する角部Ｘに位置する形となっているから、外装板１２と対向する面及び前面パネル４と対向する面の二方向から発光面２０ａの発光を視認することができる。したがって、点灯部分１５の発光面２０ａは、本体１近傍はもちろん本体１から遠く離れた場所からでもその点灯状態を確実に視認することができ、運転状態を正確に把握できるようになる。
【００５３】
また、上記外装板１２の内面にプリント基板１８を配置し、上記プリント基板１８に付設したＬＥＤ１９と外装板１２端縁の点灯部分１５との間に導光体２０を設けた構成としてあるから、外装板１２の内面に配置したプリント基板１８の端縁ぎりぎりにＬＥＤ１９を付設できず当該ＬＥＤ１９と前記点灯部分１５との間に上下方向に位置ずれが生じてしまう形となっても、ＬＥＤ１９からの光を導光体２０によって点灯部分１５の発光面２０ａへと導き外部へ照射させることができる。
【００５４】
すなわち、外装板１２の端縁部に点灯部分１５を設けるためにはその内面に設けるプリント基板１８の端縁ぎりぎりにＬＥＤ１９を設ける必要がある。しかしながら、ＬＥＤ１９は色々な制約があって技術的にプリント基板１８の端縁ぎりぎりに設けることができず、基板端縁から若干内側に位置するところにしか設けることができない。そのため、プリント基板１８の端縁を外装板１２の端縁と位置合わせしても外装板１２の端縁に設ける点灯部分１５とＬＥＤ１９との間には上下方向に若干の位置ずれが生じ、外装板１２の端縁で光らせることができないことになる。
【００５５】
しかしながら、上記外装板１２の端縁とＬＥＤ１９との間に導光体２０を設け、この導光体２０によりＬＥＤ１９の光を導光体２０で導く構成とすれば、前記外装板１２端縁の点灯部分１５とＬＥＤ１９との間に若干の位置ずれが生じても，ＬＥＤ１９からの光を導光体２０によって点灯部分１５に導き発光面２０ａから外部へ照射させることができるのである。
【００５６】
このように、ＬＥＤ１９が技術的にプリント基板１８の端縁に設けることができず、外装板１２と前面パネル４の互いの端縁が接する角部Ｘの内面部にＬＥＤ１９を配置できないということがあっても、この障害を解消して点灯部分を角部Ｘに設け、ＬＥＤ１９からの光を外部へと照射させることができ、勝手の良い空気調和機とすることができるのである。
【００５７】
また、この実施の形態では、前記外装板１２の側面に位置する発光面２０ａの上方を前面パネル４の装飾枠４ａにより覆っているから、導光体２０の発光面２０ａ以外からの光は前面パネル４を利用して外部に漏洩するのを防止でき、発光状態をすっきりと見やすいものにすることができる。
【００５８】
更に、前記導光体２０の先端部が外装板１２の前面及び側面より突出する構成としてあるから、導光体２０はその先端面のみならず突出した部分の外周も発光面２０ａとなって光るので、点灯状態が外装板１２と対向する面及び前面パネル４と対向する面のいずれの側からでも見やすいものとなる。したがって、点灯部分１５の視認性をより高いものとして、使い勝手を更に向上させることができる。
【００５９】
また、この実施の形態では、前記外装板１２には、第１赤外線センサ２５と、第２赤外
線センサ２６とを設け、この第１赤外線センサ２５と第２赤外線センサ２６の双方を、一枚の装飾シート２７で覆った構成としてある。
【００６０】
これにより、外装板１２に第１赤外線センサ２５及び第２赤外線センサ２６のような複数の検知部を設けていても、その表面は一枚の装飾シート２７で覆っているので、これらを別々のシートで覆うようにしたものに比べすっきりとしたものとすることができる。しかも経年変化によって個々のシートの変色状態が異なることで生じる美観の低下も防止できる。したがってこの実施の形態における表示部１３は、点灯部分１５の視認性の向上による使い勝手の向上とともに美観の向上も実現することができる。
【００６１】
以上、本発明に係る空気調和機について、上記実施の形態を用いて説明してきたが、本発明はこれに限定されるものではなく、本発明の目的を達成する範囲内で種々変更可能であることは言うまでもない。
【００６２】
例えばこの実施の形態では、導光体２０に光を照射するＬＥＤ１９を付設したプリント基板１８は外装板１２側の内面に設けたものを例示したが、これは前面パネル４の下部内面側に設け、導光体２０が前面パネル４と外装板１２の互いの端縁が接する角部から外部に臨むようにしてもよいものである。
【００６３】
このように、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００６４】
以上のように本発明は、使用者がどのような位置からでも表示部の点灯部分を確実に視認することができ、運転状態を正確に把握できる使い勝手の良い空気調和機とすることができる。したがって、一般用はもちろん、業務用の空気調和機にも幅広く適用することができる。
【符号の説明】
【００６５】
１  本体
２  吸込み口
３  吹出し口
４  前面パネル
８  上下風向変更板（風向変更板）
１２  外装板
１３  表示部
１４  表示部分
１５  点灯部分
１７  表示シート
１８  プリント基板
１９  ＬＥＤ
２０  導光体
２０ａ  発光面
２０ｂ  第１反射面
２０ｃ  第２反射面
２１  導光体ホルダ
２１ａ  切欠き
２１ｂ  窓部
２０１  本体部
２０１ａ  凹部
２０２  前方突出部
２０３  後方突出部
２０４  下端側突出部
【図１】
2017044438.tif 000003
【図２】
2017044438.tif 000004
【図３】
2017044438.tif 000005
【図４】
2017044438.tif 000006
【図５】
2017044438.tif 000007
【図６】
2017044438.tif 000008
【図７】
2017044438.tif 000009
【図８】
2017044438.tif 000010
【図９】
2017044438.tif 000011
【図１０】
2017044438.tif 000012